【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
基地局（２０）によって実施される、ユーザ端末から制御情報を受信する方法であって、前記基地局は、スケジュール可能下りリンクコンポーネントキャリアと、準静的に構成された上りリンク無線リソースの集合から選択された１つ以上のリソースとの間の関連付け規則でそれぞれ構成された複数のユーザ端末（１００）を有するセルで動作し、前記方法は、
１つ以上の下りリンクコンポーネントキャリアに前記ユーザ端末（１００）への下りリンク送信をスケジューリングする工程（５２）と、
ユーザ端末へ、制御情報を送信するために前記ユーザ端末が使用すべき前記準静的に構成された上りリンク無線リソースの少なくとも１つを示す確認応答リソース表示、ＡＲＩ、を送信する工程と、
前記ユーザ端末（１００）が下りリンクコンポーネントキャリアで下りリンク送信を受信するようにスケジューリングされた場合に、前記ＡＲＩによって示される前記準静的に構成された上りリンク無線リソースで前記ユーザ端末（１００）への前記下りリンク送信に関連する制御情報を受信する工程と
を有することを特徴とする方法。
【請求項２】
前記制御情報は、ＨＡＲＱ確認応答を含む
ことを特徴とする請求項１に記載の方法。
【請求項３】
前記ＡＲＩを送信する工程は、
各スケジュール可能下りリンクコンポーネントキャリアについて単一の準静的に構成された上りリンク無線リソースを示す関連付け規則で構成されたユーザ端末（１００）へ、前記ユーザ端末が次の利用可能な上りリンクリソース又は次の巡回的に利用可能な上りリンクリソースを使用すべきであることを示すための単一ビットを含むＡＲＩを送信する工程を含む
ことを特徴とする請求項１又は２に記載の方法。
【請求項４】
前記ＡＲＩを送信する工程は、
各スケジュール可能下りリンクコンポーネントキャリアについて複数の準静的に構成された上りリンク無線リソースを示す関連付け規則で構成されたユーザ端末（１００）へ、前記複数の準静的に構成された無線リソースからの実際の上りリンクリソースを示すための複数ビットを含むＡＲＩを送信する工程を含む
ことを特徴とする請求項１乃至３の何れか１項に記載の方法。
【請求項５】
前記セル内の前記ユーザ端末（１００）は、同じ関連付け規則で構成される
ことを特徴とする請求項１乃至４の何れか１項に記載の方法。
【請求項６】
前記ＡＲＩは、複数の下りリンクコンポーネントキャリア割り当ての状況に応じて送信される
ことを特徴とする請求項１乃至５の何れか１項に記載の方法。
【請求項７】
複数の下りリンクコンポーネントキャリア割り当てがない場合に、前記少なくとも１つの準静的に構成された上りリンク無線リソースでのデータ送信を許可する工程を更に有する
ことを特徴とする請求項５に記載の方法。
【請求項８】
前記ＡＲＩは制御メッセージとして送信される
ことを特徴とする請求項１乃至７の何れか１項に記載の方法。
【請求項９】
前記ＡＲＩは、より大きな制御メッセージの一部として送信される
ことを特徴とする請求項１乃至６の何れか１項に記載の方法。
【請求項１０】
スケジュール可能下りリンクコンポーネントキャリアと、準静的に構成された上りリンク無線リソースの集合から選択された１つ以上のリソースとの間の関連付け規則でそれぞれ構成された複数のユーザ端末（１００）を有するセルで動作する基地局（２０）であって、
１つ以上の下りリンクコンポーネントキャリアでユーザ端末（１００）へユーザデータを送信するための送信機（２４）と、
前記ユーザ端末（１００）への下りリンク送信をスケジュールするためのコントローラ（３４）とを備え、
前記コントローラは、
１つ以上の下りリンクコンポーネントキャリアに前記ユーザ端末（１００）への下りリンク送信をスケジューリングし、
ユーザ端末へ、制御情報を送信するために前記ユーザ端末が使用すべき前記準静的に構成された上りリンク無線リソースの少なくとも１つを示す確認応答リソース表示、ＡＲＩ、を送信し、
前記ユーザ端末（１００）が下りリンクコンポーネントキャリアで下りリンク送信を受信するようにスケジューリングされた場合に、前記ＡＲＩによって示される前記準静的に構成された上りリンク無線リソースで前記ユーザ端末（１００）への前記下りリンク送信に関連する制御情報を受信する
ように構成されることを特徴とする基地局。
【請求項１１】
ユーザ端末（１００）によって実施される、移動体通信ネットワークにおける制御情報を送信する方法であって、前記ユーザ端末は、割り当て可能下りリンクコンポーネントキャリアと、準静的に構成された上りリンク無線リソースの集合から選択された１つ以上のリソースとの間の関連付け規則で構成され、前記方法は、
基地局（２０）から下りリンク送信についての無線リソースの割り当てを受信する工程（６２）と、
制御情報を送信するために前記ユーザ端末が使用すべき前記準静的に構成された上りリンク無線リソースの少なくとも１つを示す確認応答リソース表示、ＡＲＩ、を前記基地局（２０）から受信する工程と、
前記ＡＲＩにおける表示を考慮に入れつつ、前記準静的に構成された上りリンク無線リソースのうちの少なくとも１つを選択する工程と、
前記下りリンク送信について単一の下りリンクコンポーネントキャリアの割り当てが受信された場合に、前記選択された準静的に構成された上りリンク無線リソースで前記下りリンク送信に関連する制御情報を送信する工程（６４）と
を有することを特徴とする方法。
【請求項１２】
前記制御情報は、ＨＡＲＱ確認応答を含む
ことを特徴とする請求項１１に記載の方法。
【請求項１３】
前記ユーザ端末（１００）は、各スケジュール可能下りリンクコンポーネントキャリアについて単一の準静的に構成された上りリンク無線リソースを示す関連付け規則で構成され、
前記受信されるＡＲＩは、前記ユーザ端末が次の利用可能な上りリンクリソース又は次の巡回的に利用可能な上りリンクリソースを使用すべきであることを示すための単一ビットを含む
ことを特徴とする請求項１１又は１２に記載の方法。
【請求項１４】
前記ユーザ端末（１００）は、各スケジュール可能下りリンクコンポーネントキャリアについて複数の準静的に構成された上りリンク無線リソースを示す関連付け規則で構成され、
前記受信されるＡＲＩは、前記複数の準静的に構成された無線リソースからの実際の上りリンクリソースを示すための複数ビットを含む
ことを特徴とする請求項１１又は１２の何れか１項に記載の方法。
【請求項１５】
前記ＡＲＩは制御メッセージとして受信される
ことを特徴とする請求項１１乃至１４の何れか１項に記載の方法。
【請求項１６】
前記ＡＲＩは、より大きな制御メッセージの一部として受信される
ことを特徴とする請求項１１乃至１４の何れか１項に記載の方法。
【請求項１７】
移動体通信用のユーザ端末（１００）であって、前記ユーザ端末は、割り当て可能下りリンクコンポーネントキャリアと、準静的に構成された上りリンク無線リソースの集合から選択された１つ以上のリソースとの間の関連付け規則で構成され、前記ユーザ端末は、
基地局（２０）から下りリンク送信についての無線リソースの割り当てを受信し、制御情報を送信するために前記ユーザ端末が使用すべき前記準静的に構成された上りリンク無線リソースの少なくとも１つを示す確認応答リソース表示、ＡＲＩ、を前記基地局（２０）から受信するための受信機（１１６）と、
前記ＡＲＩにおける表示を考慮に入れつつ、前記準静的に構成された上りリンク無線リソースのうちの少なくとも１つを選択するためのコントローラ（１２２）と、
前記下りリンク送信について単一の下りリンクコンポーネントキャリアの割り当てが受信された場合に、前記選択された準静的に構成された上りリンク無線リソースで前記下りリンク送信に関連する制御情報を送信するための送信機（１１２）と
を有することを特徴とするユーザ端末。